(57)【特許請求の範囲】
【請求項１】
建物の仕切空間を形成する仕切板状部（１）に設けられた鞘管挿通用の貫通孔（２）に挿入自在で、且つ、鞘管（Ｐ）に対して外嵌状態で前記鞘管（Ｐ）を前記貫通孔（２）に固定自在な固定フレーム（４）を設け、熱膨張性の貫通孔密閉用部材（５）を、前記固定フレーム（４）の内周部に設けてある貫通孔への鞘管固定具であって、
前記固定フレーム（４）の外周部に、前記貫通孔（２）の内周壁（２ａ）に対するスペーサ部（Ｒ）を設けてある貫通孔への鞘管固定具。
【請求項２】
前記貫通孔（２）への前記固定フレーム（４）の挿入に伴って、所定挿入深度において挿入操作を阻止する挿入阻止機構（Ｔ）を、前記固定フレーム（４）に設けてある請求項１に記載の貫通孔への鞘管固定具。
【発明の詳細な説明】
【０００１】
【発明の属する技術分野】
本発明は、建物の仕切空間を形成する仕切板状部（例えば、床や天井や壁）に設けられた鞘管挿通用の貫通孔に挿入自在で、且つ、鞘管に対して外嵌状態で前記鞘管を前記貫通孔に固定自在な固定フレームを設け、熱膨張性の貫通孔密閉用部材を、前記固定フレームの内周部に設け、例えば、前記仕切板状部で仕切られた仕切空間の一方で火災が生じても、この貫通孔を通して他方の仕切空間に煙や炎がまわらないようにする防火貫通部形成用の「貫通孔への鞘管固定具」に関する。
【０００２】
【従来の技術】
従来、この種の貫通孔への鞘管固定具としては、前記貫通孔の内周壁に対して、固定フレームの外周面が接当自在な状態に形成してあるものがあった。
【０００３】
【発明が解決しようとする課題】
この種の鞘管固定具を、前記貫通孔に設置する方法として、貫通孔に前記鞘管固定具を挿入した状態で、鞘管固定具と、貫通孔の内周壁との隙間にモルタルを充填するか、または、鞘管固定具の外周部に、シート状貫通孔密閉用部材を巻き付けて、そのまま貫通孔に挿入することで前記隙間を閉塞した状態に取り付ける方法とがある。
前述した従来の貫通孔への鞘管固定具によれば、貫通孔の内周壁に対して固定フレームの外周面が接当自在な状態に形成してあるから、上述の設置方法の内の前者の方法で貫通孔に設置する場合には、固定フレームの外周面が貫通孔の内周壁に接当した状態で固定フレーム外周部にモルタル充填すると、接当している部分にモルタルがうまく充填されずに、煙や炎が通過する隙間が残る危険性がある。従って、鞘管固定具の全周にモルタルを充填するための空間を確保するために、前記鞘管固定具を支えた状態でモルタル充填作業を実施しなければならず、設置作業に手間がかかり、作業効率がわるいという問題点がある。
また、上述の設置方法の内の後者の方法で貫通孔に設置する場合、特に、横方の貫通孔において、固定フレームの外周部に巻き付けたシート状貫通孔密閉用部材の下端部分に、鞘管固定具の重量や鞘管の重量が集中的に作用し、シート状貫通孔密閉用部材の巻き層の厚みが減少し、その分、反対側の上端部分に隙間ができ易くなるという問題点がある。従って、隙間のできた固定フレームの上端部と貫通孔内周壁との間に、再度、熱膨張性パテやモルタル等の貫通孔密閉用部材を充填する手間がかかり、いずれの方法にしても、従来の貫通孔への鞘管固定具には、設置作業に手間がかかり、作業効率がわるいという問題点がある。
【０００４】
そこで、本発明の目的は、上記問題点を解消し、貫通孔に隙間ができない状態に設置するのに、手間をかけずに効率よく作業できる貫通孔への鞘管固定具を提供するところにある。
【０００５】
【課題を解決するための手段】
〔構成〕
請求項１に係わる本発明の特徴構成は、建物の仕切空間を形成する仕切板状部に設けられた鞘管挿通用の貫通孔に挿入自在で且つ鞘管に対して外嵌状態で前記鞘管を前記貫通孔に固定自在な固定フレームの外周部に、前記貫通孔の内周壁に対するスペーサ部を設けてあるところにある。
【０００６】
請求項２に係わる本発明の特徴構成は、前記貫通孔への前記固定フレームの挿入に伴って、所定挿入深度において挿入操作を阻止する挿入阻止機構を、前記固定フレームに設けてあるところにある。
【０００７】
〔作用及び効果〕
請求項１に係わる本発明の特徴構成によれば、前記固定フレームの外周部に、前記貫通孔の内周壁に対するスペーサ部を設けてあるから、貫通孔内に鞘管固定具を挿入した状態において、貫通孔内周壁から前記スペーサ部の寸法だけ固定フレーム外周面を離間させることができ、例えば、鞘管固定具をモルタルで固定する場合でも、固定フレームの全周にモルタル充填用の空間を形成することが可能となり、簡単にスピーディーにモルタル充填作業を実施することができる。そして、充填部分に隙間ができ難いから、防火貫通性能の高い鞘管固定処理ができる。
【０００８】
請求項２に係わる本発明の特徴構成によれば、前記挿入阻止機構を、前記固定フレームに設けてあるから、仕切板状部の表面に対する鞘管固定具の出入りを所定の値にする事が可能となり、設置作業における個人差で、前記出入りにばらつきが生じるのを防止し、美観性の高い仕上がり状態に設置することが可能となる。これは、例えば、複数の鞘管固定具を、並列状態に設置するときに、特に有効であり、各鞘管固定具の出入り調整を実施しなくても、それぞれが揃った状態に設置でき、高い作業性・美観性を確保することができる。また一例として、前記所定挿入深度が、鞘管固定具の長さ寸法に設定してある場合には、誰が設置作業を実施しても、前記仕切板状部の表面と面一の状態に鞘管固定具を設置することが可能となる。
一方、前記仕切板状部が床や天井であって、前記貫通孔が縦配置である場合には、前記挿入阻止機構によって鞘管固定具が貫通孔から脱落するのを防止する事が可能となり、より安定した状態に鞘管を固定することができる。
【０００９】
【発明の実施の形態】
以下に本発明の一実施形態を図面に基づいて説明する。
【００１０】
図４は、壁体１（仕切板状部の一例）に設けられた鞘管挿通用の貫通孔２に、給湯配管を挿通自在な鞘管Ｐを挿通させて、本発明の「貫通孔の鞘管固定具」の一例である鞘管固定具（以後、単に固定具という）Ｓによって、前記鞘管Ｐを貫通孔２内に固定し、防火貫通部を構成してある状況を示すものである。
【００１１】
前記鞘管Ｐは、樹脂製の可撓管によって構成してあり、内部には、例えば、給水管や給湯管等の配管３を挿通させる（予め、挿通させてある場合もある）ことができ、前記配管３が、露出するのを防止して保護することができ、且つ、前記配管３に対する断熱を図り、配管３の結露を発生し難くすることができる。
【００１２】
前記固定具Ｓは、前記貫通孔２に挿入自在で、且つ、鞘管Ｐに対して外嵌自在な固定フレーム４を設け、前記固定フレーム４に内嵌する状態に、塊状の熱膨張性貫通孔密閉用部材５を設けて構成してある。
また、前記固定フレーム４は、その外周部に、シート状の熱膨張性貫通孔密閉用部材６を巻回して、前記貫通孔２の内周壁２ａと、前記固定フレーム４との間に前記シート状貫通孔密閉用部材６が位置する状態で、前記貫通孔２内に固定してある。
従って、仮に、火災が発生して鞘管Ｐが燃焼したり収縮しても、その周囲に熱膨張した前記両貫通孔密閉用部材５，６が広がって隙間を埋めつくし、煙や炎が貫通孔２を通過しにくいようにすることができる（図５参照）。
因に、前記塊状の貫通孔密閉用部材５は、炭酸カルシウム・無機質膨張剤・有機質膨張剤・ゴム・顔料等の成分によって構成してあり、前記シート状の貫通孔密閉用部材６は、炭酸カルシウム・無機質膨張剤・有機質膨張剤・未加硫のゴム・顔料・ポリオレフィン樹脂等の成分によって構成してある。
【００１３】
前記固定フレーム４は、図１・２に示すように、上下に二分割した分割フレーム４ａ，４ｂから構成してある。前記両分割フレーム４ａ，４ｂは、板金製で、共に、同一形状の原材料金属板を、各別に折り曲げ加工して形成してある。図３に、その展開図を示すが、図中、破線が谷折り線に、一点鎖線が山折り線に、二点鎖線が一方の（下方向に配置される方の）分割フレーム４ａにのみ実施される谷折り線に該当する。
図中の７・８・９・１０の切り起こし部は、前記塊状の貫通孔密閉用部材５をはめ込むための保持空間Ｘ形成用の仕切となり、且つ、前記貫通孔密閉用部材５の前記鞘管長手方向に沿った熱膨張を拘束して、その膨張力が鞘管の径方向に沿った締付け力として作用しやすくなるように形成してある。
前記固定フレーム４の内、前記保持空間Ｘに面する部分が、部材内装フレーム部４ｃにあたり、前記７・８・９・１０の切り起こし部が、拘束部Ｋにあたる。また、固定フレーム４の側部にあたる１１・１２の側面部には、前記保持空間Ｘにはめ込まれた貫通孔密閉用部材５の外れ防止のための爪部１３を各別に設けてあり、前記貫通孔密閉用部材５に外れ方向の力が作用すると、前記爪部１３が前記貫通孔密閉用部材５の溝部に引掛って、外れるのを防止することが可能となる。一方、前記側面部１１，１２の中間部分には、径方向に沿って両分割フレーム４ａ，４ｂどうしを合わせることによって係合自在な係合凸部１４と係合凹部１５とを各別に設けてある。
また、前記７・１０の切り起こし部を前記谷折り線に沿って折り曲げることによって図中の１６・１７の切り起こし部は、固定フレーム４の外周側に突出状態に切り起こされる。この両切り起こし部１６，１７の内、１６の切り起こし部は、上配置の分割フレーム４ｂにおいては、貫通孔２に対する固定フレーム４の挿入に伴って、終端位置において貫通孔２の周縁部に当接するストッパー（挿入阻止機構の一例）Ｔとなる。そしてまた、この１６の切り起こし部は、下配置の分割フレーム４ａにおいては、前記二点鎖線（図３参照）に沿って先端部が折り曲げられて、１７の切り起こし部と同寸法の突出量となる。この下配置の分割フレーム４ａの１６・１７の切り起こし部、及び、上配置の分割フレーム４ｂの１７の切り起こし部は、貫通孔の内周壁２ａと固定フレーム４との所定の離間距離を確保するスペーサ部Ｒにあたる。このスペーサ機能によって、固定フレーム４の外周部に巻回するシート状貫通孔密閉用部材６の適切な配置スペースを固定フレーム周囲に確保することができ、直接的に鞘管Ｐ・配管３・固定具Ｓの重量がシート状貫通孔密閉用部材６に作用するのを防止することが可能となる。従って、例えば、火災が発生した場合でも、シート状貫通孔密閉用部材６の熱膨張を、偏りのない状態でサポートでき、前記貫通孔２の高い閉塞効果を期待することが可能となる。
一方、前記部材内装フレーム部４ｃには、前記固定フレーム４の径方向に沿って前記固定フレーム内外空間を連通自在な連通孔Ｈを設けてある。具体的には、前記７・８・９・１０の切り起こし部の切り起こし跡が、この連通孔Ｈにあたる。この連通孔Ｈを設けてあることによって、火災時に、図５に示すように、この連通孔Ｈを通して、塊状貫通孔密閉用部材５とシート状貫通孔密閉用部材６とが熱膨張力を相互に伝達することができるようになる。従って、例えば、鞘管Ｐの燃焼跡を塊状貫通孔密閉用部材５の熱膨張によって埋める際に、シート状貫通孔密閉用部材６の熱膨張力をも効果的に作用させることができ、より確実に貫通孔の閉塞を果たし防火貫通部の性能向上を叶えることが可能となる。
また、特に、前記固定フレーム４の端部に形成してある連通孔Ｈによれば、前記両貫通孔密閉用部材５，６の熱膨張力を、貫通孔２の浅い部分に作用させて、より広範囲の閉塞範囲を確保することが可能となり、防火性能を向上させることが可能となる。
【００１４】
本実施形態の固定具Ｓを用いた防火貫通部の形成方法は、貫通孔２に予め鞘管Ｐを挿通しておき、その鞘管を前記両分割フレーム４ａ，４ｂによって挟み込む状態に固定フレーム４を配置し、その外周部に、シート状貫通孔密閉用部材６を巻き付ける。その状態で、鞘管Ｐに沿って固定フレーム４をスライドさせて、貫通孔２に挿入することで、固定具Ｓの設置が完了する。
【００１５】
〔別実施形態〕
以下に別実施形態を説明する。
【００１６】
〈１〉  前記鞘管固定具は、先の実施形態で説明した上下に二分割に形成してあるものに限らず、例えば、三分割以上の複数分割構成であってもよい。また、板金のプレス加工によるものに限らない。
そして、一つの貫通孔に対して複数の鞘管固定具を並列状態に挿入して設置することも可能である。
〈２〉  前記鞘管固定具Ｓの貫通孔２への固定は、先の実施形態で説明したシート状貫通孔密閉用部材５に替えて、鞘管固定具Ｓを貫通孔２内に挿入した状態で、貫通孔の内周壁２ａとの空隙にモルタルを充填することも可能である。この場合、固定フレーム４の連通孔Ｈは、塊状貫通孔密閉用部材６によって塞がれているから、固定フレーム内空部へのモルタル流入は防止でき、例えば、塊状貫通孔密閉用部材６と鞘管Ｐとの間の隙間にモルタルが入って固化することによって、そのモルタルが塊状貫通孔密閉用部材６の熱膨張時に鞘管Ｐに対する締付力に抵抗して充分な貫通孔閉塞が叶えられなくなることを防止できる。
〈３〉  また、前記仕切板状部は、先の実施形態で説明した壁体に限るものではなく、例えば、床板・天井・梁・柱等であってもよく、これらを総称して仕切板状部という。図６には、床板に鞘管固定具を設置してある状況を示すものである。
〈４〉  前記鞘管は、先の実施形態で説明したように、別体の管を内装するものに限定されるものではなく、例えば、鞘管自体が、ケーブルや空調配管等であってもよく、それらを総称して鞘管という。
【００１７】
尚、特許請求の範囲の項に、図面との対照を便利にするために符号を記すが、該記入により本発明は添付図面の構成に限定されるものではない。
【図面の簡単な説明】
【図１】鞘管固定具を示す分解斜視図
【図２】鞘管固定具を示す斜視図
【図３】分解固定フレームの展開図
【図４】鞘管固定具の設置状況を示す断面図
【図５】鞘管固定具の作用を示す断面図
【図６】別実施形態の鞘管固定具の設置状況を示す断面図
【符号の説明】
１    仕切板状部
２    貫通孔
２ａ  内周壁
４    固定フレーム
５    貫通孔密閉用部材
Ｐ    鞘管
Ｒ    スペーサ部
Ｔ    挿入阻止機構
【図１】
0003591928.tif 000002
【図２】
0003591928.tif 000003
【図３】
0003591928.tif 000004
【図４】
0003591928.tif 000005
【図５】
0003591928.tif 000006
【図６】
0003591928.tif 000007